(57)【特許請求の範囲】
【請求項１】
設置面の近傍に位置する第１端部と、前記第１端部とは反対側の第２端部と、を有した筐体と、
前記設置面に設置されるとともに前記筐体を起立した状態で支持した支持部と、
前記筐体の内面に沿うように前記筐体内に収められた表示パネルと、
前記筐体内部に設けられ、一方の面に前記表示パネルが取り付けられるとともに、前記表示パネルとの間の隙間が前記第１端部に近づくにつれて大きくなるように、前記表示パネルに対して斜めに設置されたフレームと、
前記フレームの前記一方の面とは反対側の他方の面に取り付けられるとともに、前記フレームと略平行に設けられたプリント回路板と、
前記第１端部と前記第２端部とを結ぶ方向における前記プリント回路板の略中間部よりも前記第１端部側に設けられ、前記筐体の前記他方の面側に設けられた露出穴で外部に露出された外部接続用のコネクタと、
を備える電子機器。
【請求項２】
筐体と、
設置面に設置されるとともに前記筐体を起立した状態で支持した支持部と、
前記筐体内に収められた表示パネルと、
前記筐体内部に設けられ、一方の面に前記表示パネルが取り付けられるとともに、前記表示パネルとの間の隙間が前記設置面に近づくにつれて大きくなるように、前記表示パネルに対して斜めに設置されたフレームと、
前記フレームの前記一方の面とは反対側の他方の面に取り付けられるとともに、前記フレームに沿って設けられたプリント回路板と、
前記設置面と交差する方向における前記プリント回路板の略中間部よりも前記設置面側に設けられ、前記筐体の前記他方の面側に設けられた露出穴で外部に露出されたコネクタと、
を備える電子機器。
【請求項３】
前記筐体の内部で前記表示パネルおよび前記フレームよりも前記第１端部側に出力部を有したスピーカを備え、
前記スピーカは、前記表示パネルおよび前記フレームの前記第１端部側の端よりも前記第２端部側に突出した部分を有し、該部分は、前記筐体の厚み方向に関して前記表示パネルおよび前記フレームと重なる請求項１または請求項２に記載の電子機器。
【請求項４】
前記筐体は、前記スピーカに面するとともに前記表示パネルに対して斜めになった斜面部を有し、該斜面部には前記スピーカからの音を前記筐体外に放出可能な孔が使用状態で前記設置面に沿う方向に設けられた請求項３に記載の電子機器。
【請求項５】
前記フレームに設けられるとともに、前記第１端部と前記第２端部とを結ぶ方向における前記フレームの略中間部よりも前記第２端部側で、前記フレームの周囲の部分よりも前記表示パネル側に向かって窪んだ第１窪み部と、
前記第１窪み部内で前記他方の面に取り付けられるとともに、前記筐体内の空気を前記筐体外に排出するファンユニットと、
を備える請求項１または請求項２に記載の電子機器。
【請求項６】
前記第１窪み部は、
底部と、
前記底部と前記周囲の部分とに連続するとともに通気用の開口部が設けられた連続部と、
を有する請求項５に記載の電子機器。
【請求項７】
前記筐体は、
前記フレームの前記一方の面側を覆った第１ケースと、
前記ファンユニットから送られた空気を外部に排出する排気孔が設けられるとともに前記フレームの前記他方の面側を覆った第２ケースと、
を有し、
前記フレームは、前記ファンユニットの排気部の近傍に設けられるガイド部を有し、該ガイド部は前記排気孔側に曲がった請求項６に記載の電子機器。
【請求項８】
前記第１端部と前記第２端部とを結ぶ方向における前記プリント回路板の略中間部よりも前記第２端部側に設けられた発熱部品と、
前記発熱部品に接続される一方の端部と、前記ファンユニットと前記排気孔との間に位置した他方の端部と、を有するヒートパイプと、
を備える請求項７に記載の電子機器。
【請求項９】
前記第１端部と前記第２端部とを結ぶ方向における前記フレームの略中間部よりも前記第２端部側で、前記他方の面に取り付けられた光ディスクドライブと、
前記フレームに設けられるとともに、前記第１端部と前記第２端部とを結ぶ方向における前記フレームの略中間部よりも前記第１端部側で、前記フレームの他の部分よりも前記表示パネル側に向かって窪んだ第２窪み部と、
前記第２窪み部内で前記他方の面に取り付けられたハードディスクドライブと、
を備える請求項１または請求項２に記載の電子機器。
【請求項１０】
前記プリント回路板と略平行で前記フレームとの間に前記プリント回路板を挟むように前記フレームに取り付けられた補強板を備える請求項１または請求項２に記載の電子機器。
【請求項１１】
筐体と、
設置面に設置されるとともに前記筐体を起立した状態で支持した支持部と、
前記筐体内に収められた表示パネルと、
前記筐体内部に設けられ、一方の面に前記表示パネルが取り付けられるとともに、前記表示パネルとの間の隙間が前記設置面に近づくにつれて大きくなるように、前記表示パネルに対して斜めに設置されたフレームと、
前記フレームの前記一方の面とは反対側の他方の面に取り付けられるとともに、前記フレームに沿って設けられたプリント回路板と、
前記設置面と交差する方向における前記プリント回路板の略中間部よりも前記設置面側に設けられるコネクタと、
前記フレームに設けられるとともに、前記第１端部と前記第２端部とを結ぶ方向における前記フレームの略中間部よりも前記第２端部側で、前記表示パネル側に向かって窪んだ第１窪み部と、
前記第１窪み部内で前記他方の面に取り付けられるとともに、前記筐体内の空気を前記筐体外に排出するファンユニットと、
を備える電子機器。
【発明の詳細な説明】
【技術分野】
【０００１】
本発明の実施形態は、フレームを有したテレビおよび電子機器に関する。
【背景技術】
【０００２】
液晶テレビ等において、ＤＶＤ装置と一体化したものが知られている。
【先行技術文献】
【特許文献】
【０００３】
【特許文献１】特開２００１−３３２０７４号公報
【発明の概要】
【発明が解決しようとする課題】
【０００４】
筐体内部にフレームを有しない場合には、テレビ全体として強度が不足することある。このため、剛性を向上したテレビに対するニーズがあった。
【課題を解決するための手段】
【０００５】
実施形態の電子機器は、筐体と、前記設置面に設置されるとともに前記筐体を起立した状態で支持した支持部と、前記筐体内に収められた表示パネルと、前記筐体内部に設けられるとともに、一方の面に前記表示パネルが取り付けられるとともに、前記表示パネルとの間の隙間が前記設置面に近づくにつれて大きくなるように、前記表示パネルに対して斜めに設置されたフレームと、前記フレームの前記一方の面とは反対側の他方の面に取り付けられるとともに、前記フレームに沿って設けられたプリント回路板と、前記設置面と交差する方向における前記プリント回路板の略中間部よりも前記設置面側に設けられるコネクタと、を備える。
【図面の簡単な説明】
【０００６】
【図１】第１の実施形態の電子機器の一例であるテレビを、表示パネルの見える方向から示した斜視図。
【図２】図１に示すテレビを、表示パネルの見える方向とは反対側から見た斜視図。
【図３】図１に示すテレビを、第２ケースを取り外した状態で示した平面図。
【図４】図３に示すテレビを、補強板を取り外した状態で示した平面図。
【図５】図３に示すテレビのファンユニット周りを拡大して示した斜視図。
【図６】図４に示すＦ６−Ｆ６線に沿った断面図。
【図７】図４に示すＦ７−Ｆ７線に沿った断面図。
【図８】図４に示すＦ８−Ｆ８線に沿った断面図。
【図９】図１に示すテレビの使用状態（起立状態）を示した断面図。
【発明を実施するための形態】
【０００７】
以下、図１から図９を参照して、電子機器の第１の実施形態について説明する。図１に示すように、本実施形態の電子機器の一例であるテレビ１１（テレビジョン受像機、受像機、放送波受信装置、受信装置、テレビ型情報処理装置、テレビ型コンピュータ、コンピュータ、オールインワンコンピュータ）は、略長方形（矩形、扁平な箱型、正面からみた形状が長方形）の外観を有した表示装置である。本実施形態のテレビ１１は、テレビ機能を活用して専らテレビとして使用することもできるし、図２に示すようなキーボード１２を用いることで、コンピュータ（パーソナルコンピュータ）としても使用可能である。また、図２に示すように、テレビ１１には、盗難防止用のワイヤー１３を取り付けることもできる。例えば、後述する補強板１４には、ワイヤー１３の係合部を引っ掛けるための孔部１５が設けられているが（図３参照）、該孔部１５は、後述するフレーム３２に設けられていてもよい。
【０００８】
図１、図２、図９に示すように、テレビ１１は、筐体２１と、設置面２２に設置されて筐体２１を起立した状態で支持する支持部２３（スタンド、脚部）と、を備えている。支持部２３は、後述する第１端部２１Ａで筐体２１と一体的に設けられた第１部分２３Ａと、筐体２１の表示パネル３１が設けられる面とは反対側の面に設けられる第２部分２３Ｂと、を有している。第１部分２３Ａは、筐体２１の幅方向Ｗ（左右方向）において互いに分離しており、筐体２１の角部の近傍に一対に設けられている。第２部分２３Ｂは、筐体２１の表示パネル３１が設けられる面とは反対側の面に対して回動可能に設けられるとともに、任意の角度で固定可能に設けられている。
【０００９】
筐体２１は、使用状態において、図９に示すように設置面２２に対して斜めに設置される。図１、図９に示すように、筐体２１は、設置面２２の近傍に位置する第１端部２１Ａと、第１端部２１Ａとは反対側の第２端部２１Ｂと、を有している。図２に示すように、筐体２１は、フレーム３２の一方の面３２Ａ側を覆った第１ケース２４（前ケース）と、フレーム３２の他方の面３２Ｂ側を覆った第２ケース２５（後ケース）と、を有する。図１に示すように、第１ケース２４は、表示パネル３１を外部に露出する方形の孔部を有した主部２４Ａ（枠部）と、主部２４Ａおよび表示パネル３１に対して斜めになった斜面部２４Ｂと、を有している。斜面部２４Ｂは、斜面部２４Ｂにはスピーカ３４からの音を筐体２１外に放出可能な孔２６が設けられている。図９に示すように、孔２６は、使用状態で設置面２２に沿う方向に（略平行に）設けられている。
【００１０】
図２に示すように、第２ケース２５には、排気孔２７と、コネクタ６６を外部に露出するための露出穴２８と、が設けられている。排気孔２７は、第２端部２１Ｂの近傍に設けられている。
【００１１】
図３、図４、図７等に示すように、テレビ１１は、表示画面として画像が表示される第１面３１Ａおよびこれと反対側の第２面３１Ｂを含む平板状（シート状、平坦な面を有する）の表示パネル３１と、表示パネル３１に対して斜めに設けられたフレーム３２と、フレーム３２の他方の面３２Ｂにフレーム３２に沿って（略平行に）取り付けられたプリント回路板３３と、フレーム３２との間にプリント回路板３３を挟むようにフレーム３２の他方の面３２Ｂに固定された補強板１４と、第１端部２１Ａ側に寄って配置された一対のスピーカ３４と、フレーム３２の他方の面３２Ｂに取り付けられるとともに筐体２１内部で暖められた空気を筐体２１外に排出するファンユニット３５と、プリント回路板３３上の発熱部品の冷却を促進するための第１および第２ヒートパイプ３６、３７と、第１および第２ヒートパイプ３６、３７の他方の端部３６Ｂ、３７Ｂに設けられるフィンユニット３８と、プリント回路板３３と電気的に接続されたハードディスクドライブ４１と、プリント回路板３３と電気的に接続された光ディスクドライブ４２と、プリント回路板３３に取り付けられるとともにプリント回路板３３と電気的に接続された無線ＬＡＮモジュール４３と、無線ＬＡＮモジュール４３に接続された複数のアンテナ４４と、を筐体２１の内部に備えている。
【００１２】
表示パネル３１は、例えば、液晶ディスプレイパネルで構成されているが、例えばプラズマディスプレイパネル、有機ＥＬ、プラスチックディスプレイパネル、シートディスプレイパネル等、他の種類のディスプレイパネルであってもよい。表示パネル３１は、プリント回路板３３と電気的に接続されている。表示パネル３１は、ねじやフック等の固定具によってフレーム３２に固定されている。表示パネル３１は、筐体２１の内面に沿うように（筐体２１の表面の近傍に）筐体２１内に収められている。
【００１３】
フレーム３２は、例えば鉄等の金属材料（金属板）を所定の形状に曲げ加工（プレス加工）して形成されている。図７等に示すように、フレーム３２は、全体として、第１端部２１Ａに近づくにつれて表示パネル３１との間の隙間が大きくなるように、表示パネル３１に対して斜めに設置されている。フレーム３２は、表示パネル３１が取り付けられる一方の面３２Ａと、一方の面３２Ａとは反対側の他方の面３２Ｂと、を有している。他方の面３２Ｂには、プリント回路板３３、補強板１４、ファンユニット３５、ハードディスクドライブ４１、光ディスクドライブ４２等が取り付けられる。
【００１４】
図７、図８に示すように、フレーム３２は、表示パネル３１に対して斜めになった本体部分４５と、本体部分４５の外縁部に設けられて本体部分４５から起立した縁部４６と、を有している。本体部分４５と、縁部４６とがなしている角度は、約９０度である。図７等に示すように、第１端部２１Ａ側のフレーム３２の厚み方向Ｔにおける寸法は、第２端部２１Ｂ側のフレーム３２の厚み方向Ｔにおける寸法の２倍から３倍の長さである。
【００１５】
図４、図６、図７、図８等に示すように、フレーム３２の本体部分４５は、表示パネル３１に対して斜めになった搭載面５１と、ファンユニット３５を設置するための第１窪み部５２と、ハードディスクドライブ４１を設置するための第２窪み部５３と、光ディスクドライブ４２が取り付けられる取付部５４と、第１窪み部５２の近傍に設けられたガイド部５５と、を有している。搭載面５１には、プリント回路板３３を固定するための複数のスタッド５６が設けられている。
【００１６】
図６に示すように、第１窪み部５２は、フレーム３２の周囲の部分５７よりも表示パネル３１側に向かって窪んでいる。図３、図４に示すように、第１窪み部５２は、第１端部２１Ａと第２端部２１Ｂとを結ぶ方向Ａにおけるフレーム３２の略中間部よりも第２端部２１Ｂ側に設けられている。第１窪み部５２は、筐体２１の幅方向Ｗ（左右方向）において、略中間部に設けられている。
【００１７】
図５、図６に示すように、第１窪み部５２は、表示パネル３１に沿った（略平行になった）第１底部５２Ａと、第１底部５２Ａと周囲の部分５７とに連続する第１連続部５２Ｂと、を有している。ファンユニット３５は、フレーム３２の他方の面３２Ｂで、第１底部５２Ａ上に取り付けられている。第１連続部５２Ｂには、通気用の複数の開口部５８が一定の間隔で設けられている。図６に矢印で示すように、表示パネル３１からの熱で暖められて、表示パネル３１とフレーム３２との間の位置に溜まった空気は、開口部５８を介してファンユニット３５に吸引されて、筐体２１の外部に排出される。
【００１８】
図３、図４、図８に示すように、第２窪み部５３は、第１端部２１Ａと第２端部２１Ｂとを結ぶ方向におけるフレーム３２の略中間部よりも第１端部２１Ａ側に設けられている。図８に示すように、第２窪み部５３も同様に、表示パネル３１に沿った（略平行になった）第２底部５３Ａと、第２底部５３Ａと周囲の部分５７とに連続する第２連続部５３Ｂと、を有している。第２窪み部５３は、ハードディスクドライブ４１を収納できる十分な深さを有している。ハードディスクドライブ４１は、フレーム３２の他方の面３２Ｂで、第２底部５３Ａ上に取り付けられている。
【００１９】
図５、図６に示すように、ガイド部５５は、ファンユニット３５の排気部８６の近傍（フィンユニット３８の近傍）に設けられている。ガイド部５５は、第１底部５２Ａと連続して設けられており、排気孔２７に向かってカーブして、排気孔２７の近傍まで延びている。
【００２０】
図４、図７に示すように、プリント回路板３３は、フレーム３２の他方の面３２Ｂに設けられたスタッド５６に対して例えばねじやフック等の固定部材で固定されている。プリント回路板３３は、基板本体３３Ａと、第１発熱部品６１（例えば、ＣＰＵ）と、第２発熱部品６２（例えば、グラフィックスチップ）と、第３発熱部品６３（例えば、ノースブリッジ）と、複数のフラッシュメモリーで構成される記憶装置であるとともに基板本体３３Ａに対して抜き差し可能なＳＳＤ６４（solid state drive）と、基板本体３３Ａの一部の領域に設けられたチューナ部６５と、外部接続用の複数のコネクタ６６と、を有している。このうち、発熱量の大きい第１発熱部品６１および第２発熱部品６２は、第１端部２１Ａと第２端部２１Ｂとを結ぶ方向Ａにおけるプリント回路板３３の略中間部よりも第２端部２１Ｂ側に設けられている。
【００２１】
図４、図７に示すように、チューナ部６５は、金属製のシールドケース６７と、シールドケース６７の上部から突出するように設けられた一対の接続用の端子６８と、シールドケース６７の内側に設けられた複数のチューナ７１、７２と、を有している。第１チューナ７１は、例えば地上波のアナログ・デジタル放送の受信回路の一部を構成している。同様に、第２チューナ７２は、例えば衛星放送の受信回路の一部を構成している。複数のコネクタ６６は、第１端部２１Ａと第２端部２１Ｂとを結ぶ方向Ａにおけるプリント回路板３３の略中間部よりも第１端部２１Ａ側に設けられている。
【００２２】
図３、図７に示すように、補強板１４は、搭載面５１（プリント回路板３３）に対応した形状・大きさを有している。補強板１４は、フレーム３２（搭載面５１）およびプリント回路板３３に沿って（略平行に）設けられている。補強板１４には、ＳＳＤ６４に対応した位置に設けられる略方形の開放部７３と、第１から第３の発熱部品６１−６３に対応した位置に設けられる複数の円形の放熱孔７４と、コネクタ６６を露出するための露出孔７５と、が設けられている。作業者は、開放部７３を介して基板本体３３Ａに対してＳＳＤ６４を抜き差しすることができる。
【００２３】
図３、図４に示すように、本実施形態では、複数の放熱孔７４は、２種類の大きさで形成されている。大きい直径の放熱孔７４は、第１発熱部品６１（例えば、ＣＰＵ）および第３発熱部品６３（例えば、ノースブリッジ）に対応する位置に設けられている。大きい直径の放熱孔７４を設けることで、第１発熱部品６１および第３発熱部品６３が配置される位置で開口面積が大きくなり、この位置で熱（暖められた空気）が滞留することが防止される。
【００２４】
一方、小さい放熱孔７４は、第２発熱部品６２（例えば、グラフィックスチップ）に対応する位置に設けられている。第２発熱部品６２は、第１発熱部品６１よりも発熱量が少なく、さらに第２ヒートパイプ３７によっても十分に冷却される。このため、この箇所で熱（暖められた空気）が滞留してしまうことはなく、むしろこの位置では補強板１４の強度（剛性）の維持が優先される。このように、２種類の大きさの放熱孔７４を用いることで、放熱性と剛性のバランスをとることができる。
【００２５】
図３、図７に示すように、補強板１４は、チューナ部６５の接続用の端子６８を補強している。このため、プラグ等を抜き差しする際に端子６８に対してストレスが加えられた場合でも、補強板１４は、当該ストレスを吸収し、プリント回路板３３に伝えられないようにする。
【００２６】
図３に示すように、スピーカ３４は、筐体２１の内部の第１端部２１Ａ側で、幅方向Ｗ（左右方向）の両側に一対に設けられている。図７、図８に示すように、スピーカ３４は、スピーカ本体８１と、スピーカ本体８１を取り囲むスピーカボックス８２と、を有している。スピーカ３４は、スピーカ本体８１から出た音が主として出力される出力部３４Ａ（出力面）を有している。出力部３４Ａは、上記斜面部２４Ｂに面しており、上記斜面部２４Ｂの内面に沿って設けられている。出力部３４Ａは、表示パネル３１およびフレーム３２よりも第１端部２１Ａ側に位置されている。スピーカ３４（スピーカボックス８２）は、表示パネル３１およびフレーム３２の第１端部２１Ａ側の端よりも第２端部２１Ｂ側に突出した部分３４Ｂを有している。この部分３４Ｂは、筐体２１の厚み方向Ｔ（第１端部２１Ａおよび第２端部２１Ｂを結ぶ方向Ａと交差或いは略直交する方向）に関して表示パネル３１およびフレーム３２と重なっている。このため、スピーカボックス８２の容積が可能な限り大きくなっており、高音質が実現されている。
【００２７】
図３、図４に示すように、ファンユニット３５は、ファンケース８３と、ファンケース８３内に回転可能に設けられたファン８４と、ファンケース８３のフレーム３２と対向する側とは反対側に設けられた吸気部８５（吸気口）と、ファンケース８３の筐体２１の第２端部２１Ｂ方向に向かって設けられた排気部８６（排気口）と、を有している。ファンユニット３５は、吸気部８５から周囲の空気を吸引して、排気部８６、フィンユニット３８、および第２ケース２５の排気孔２７を経由して筐体２１外に空気を送ることができる。ファンユニット３５は、筐体２１の第１端部２１Ａと第２端部２１Ｂとを結ぶ方向Ａにおける略中間部よりも第２端部２１Ｂ側に設けられている。ファンユニット３５は、筐体２１の幅方向Ｗ（左右方向）において、略中間部に設けられている。
【００２８】
図４に示すように、第１ヒートパイプ３６は、第１発熱部品６１（例えば、ＣＰＵ）と接続される一方の端部３６Ａと、ファンユニット３５と排気孔２７との間に位置し、フィンユニット３８と接続された他方の端部３６Ｂと、を有している。第２ヒートパイプ３７は、第２発熱部品６２（例えば、グラフィックスチップ）と接続される一方の端部３７Ａと、ファンユニット３５と排気孔２７との間に位置し、フィンユニット３８と接続された他方の端部３７Ｂと、を有している。
【００２９】
フィンユニット３８は、複数の薄板状のフィン３８Ａを有している。各フィン３８Ａは、第１ヒートパイプ３６の他方の端部３６Ｂと、第２ヒートパイプ３７の他方の端部３６Ｂと、に熱的に接続されている。第１ヒートパイプ３６および第２ヒートパイプ３７は、第１端部２１Ａと第２端部２１Ｂとを結ぶ方向Ａにおけるプリント回路板３３の略中間部よりも第２端部２１Ｂ側に設けられている。
【００３０】
図４に示すように、ハードディスクドライブ４１（ＨＤＤ）は、例えば、直径３．５インチのタイプの磁気ディスクを内蔵している。ハードディスクドライブ４１は、筐体２１の第１端部２１Ａと第２端部２１Ｂとを結ぶ方向Ａにおける略中間部よりも第１端部２１Ａ側に設けられている。ハードディスクドライブ４１は、プリント回路板３３と電気的に接続されている。
【００３１】
光ディスクドライブ４２は、Ｂｌｕ−ｒａｙ  Ｄｉｓｃ、ＤＶＤ、ＣＤ等の光ディスクから文字情報、画像、映像、音楽等の各種の情報を読みとることができる。また、光ディスクドライブ４２は、上記の光ディスクに対して、文字情報、画像、映像、音楽等の各種の情報を書き込むこともできる。光ディスクドライブ４２は、第１端部２１Ａと第２端部２１Ｂとを結ぶ方向Ａにおけるフレーム３２（筐体２１）の略中間部よりも第２端部２１Ｂ側に設けられている。光ディスクドライブ４２は、第１端部２１Ａと第２端部２１Ｂとを結ぶ方向Ａにおいて、ハードディスクドライブ４１（ＨＤＤ）よりも第２端部２１Ｂ側に配置されている。光ディスクドライブ４２は、フレーム３２の取付部５４に取り付けられている。光ディスクドライブ４２は、プリント回路板３３と電気的に接続されている。
【００３２】
本実施形態によれば、テレビ１１は、設置面２２の近傍に位置する第１端部２１Ａと、第１端部２１Ａとは反対側の第２端部２１Ｂと、を有した筐体２１と、設置面２２に設置されるとともに筐体２１を起立した状態で支持した支持部２３と、筐体２１の内面に沿うように筐体２１内に収められた表示パネル３１と、筐体２１内部に設けられるとともに、一方の面３２Ａに表示パネル３１が取り付けられるとともに、表示パネル３１との間の隙間が前記第１端部２１Ａに近づくにつれて大きくなるように、表示パネル３１に対して斜めに設置されたフレーム３２と、フレーム３２の一方の面３２Ａとは反対側の他方の面３２Ｂに取り付けられるとともに、フレーム３２と略平行に設けられたプリント回路板３３と、第１端部２１Ａと第２端部２１Ｂとを結ぶ方向におけるプリント回路板３３の略中間部よりも第１端部２１Ａ側に設けられる外部接続用のコネクタ６６と、筐体２１の内部で表示パネル３１およびフレーム３２よりも第１端部２１Ａ側に出力部を有したスピーカ３４と、を備える。
【００３３】
この構成によれば、第１端部２１Ａに近づくにつれて表示パネル３１とフレーム３２との間の隙間が大きくなり、それによってフレーム３２と略平行なプリント回路板３３を第１端部２１Ａに近づくにつれて表示パネル３１から離すことができる。また、コネクタ６６は中間部よりも第１端部２１Ａ側に位置される。これらによって、コネクタ６６を表示パネル３１から離して、フレーム３２の他方の面３２Ｂ側の筐体２１の近傍に配置させることができる。このため、コネクタ６６を外部に露出させるために、フレーム３２の他方の面３２Ｂ側の筐体２１に設ける窪みの深さを小さくしてテレビ１１の体裁を良好にできる。また、ユーザがコネクタ６６にプラグ等を抜き差しする際の操作性が悪化することも防止できる。
【００３４】
また、スピーカ３４は、表示パネル３１およびフレーム３２の第１端部２１Ａ側の端よりも第２端部２１Ｂ側に突出した部分３４Ｂを有し、該部分３４Ｂは、筐体２１の厚み方向Ｔに関して表示パネル３１およびフレーム３２と重なる。この構成によれば、筐体２１の厚み寸法を増大させることなく、スピーカ３４の体積を大きく確保することができる。これによって、高音質を実現できる。
【００３５】
筐体２１は、スピーカ３４に面するとともに表示パネル３１に対して斜めになった斜面部２４Ｂを有し、該斜面部２４Ｂにはスピーカ３４からの音を筐体２１外に放出可能な孔２６が使用状態で設置面２２に沿う方向に設けられる。この構成によれば、ユーザ側に向かって、スピーカ３４から発した音を放出できるため、より一層の高音質を実現することができる。
【００３６】
テレビ１１は、フレーム３２に設けられるとともに、第１端部２１Ａと第２端部２１Ｂとを結ぶ方向Ａにおけるフレーム３２の略中間部よりも第２端部２１Ｂ側で、フレーム３２の周囲の部分５７よりも表示パネル３１側に向かって窪んだ第１窪み部５２と、第１窪み部５２内で他方の面３２Ｂに取り付けられるとともに、筐体２１内の空気を筐体２１外に排出するファンユニット３５と、を備える。
【００３７】
この構成によれば、ファンユニット３５の設置スペースを確保することができる。また、設置面２２から遠い位置、いわゆる上方にファンユニット３５が配置されるために、筐体２１内の上部に溜まった暖かい空気をファンユニット３５を介して円滑に外部に放出できる。
【００３８】
また、第１窪み部５２は、底部と、底部と周囲の部分とに連続するとともに通気用の開口部５８が設けられた連続部と、を有する。この構成によれば、表示パネル３１とフレーム３２との間にある温められた空気を開口部５８を介してファンユニット３５に送ることができる。これによって、表示パネル３１とフレーム３２との間の位置に暖かい空気が滞留して筐体２１内に熱がこもってしまうことを防止できる。
【００３９】
筐体２１は、フレーム３２の一方の面３２Ａ側を覆った第１ケース２４と、ファンユニット３５から送られた空気を外部に排出する排気孔２７が設けられるとともにフレーム３２の他方の面３２Ｂ側を覆った第２ケース２５と、を有し、フレーム３２は、ファンユニット３５の排気部８６の近傍に設けられるガイド部５５を有し、該ガイド部５５は排気孔２７側に曲がっている。この構成によれば、ガイド部５５によってファンユニット３５からの空気を排気孔２７側に案内して、筐体２１内に熱（暖かい空気）が籠もってしまうことを防止できる。また、排気孔２７をユーザから見え難い第２ケース２５側に配置できるため、体裁も良好にすることができる。
【００４０】
テレビ１１は、第１端部２１Ａと第２端部２１Ｂとを結ぶ方向におけるプリント回路板３３の略中間部よりも第２端部２１Ｂ側に設けられた発熱部品と、発熱部品に接続される一方の端部３６Ａと、ファンユニット３５と排気孔２７との間に位置した他方の端部３６Ｂと、を有するヒートパイプと、を備える。
【００４１】
この構成によれば、ファンユニット３５が配置される第２端部２１Ｂ側に発熱部品を配置できるため、発熱部品から発生された熱が筐体２１内の他の部分に滞留することなく、効率よく当該熱を外部に排出することができる。また、ヒートパイプによって、発熱部品の冷却効率を向上できる。
【００４２】
テレビ１１は、第１端部２１Ａと第２端部２１Ｂとを結ぶ方向におけるフレーム３２の略中間部よりも第２端部２１Ｂ側で、他方の面３２Ｂに取り付けられた光ディスクドライブ４２と、フレーム３２に設けられるとともに、第１端部２１Ａと第２端部２１Ｂとを結ぶ方向Ａにおけるフレーム３２の略中間部よりも第１端部２１Ａ側で、フレーム３２の他の部分３４Ｂよりも表示パネル３１側に向かって窪んだ第２窪み部５３と、第２窪み部５３内で他方の面３２Ｂに取り付けられたハードディスクドライブ４１と、を備える。
【００４３】
この構成によれば、比較的軽量な光ディスクドライブ４２を第２端部２１Ｂ側に配置して、比較的重いハードディスクドライブ４１を第１端部２１Ａ側に配置することができる。これによって、テレビ１１の重心を低くすることができ、テレビ１１の転倒を防止して安定性を向上することができる。また、表示パネル３１とフレーム３２との間の距離が大きくなった第２端部２１Ｂ側の位置で第２窪み部５３を設けることで、第２窪み部５３を深く形成できる。これによって、厚みの大きいハードディスクドライブ４１を第２窪み部５３に設置でき、筐体２１内のスペースの使用効率を向上できる。
【００４４】
テレビ１１は、プリント回路板３３と略平行でフレーム３２との間にプリント回路板３３を挟むようにフレーム３２に取り付けられた補強板１４を備える。この構成によれば、補強板１４によってフレーム３２の剛性を向上させることができる。これによって、テレビ１１の安定性を向上できる。
【００４５】
電子機器は、上記実施形態に示したテレビ１１に限らず、例えば携帯電話機、電子ブックリーダー等のようなその他の電子機器に対しても当然に実施可能である。さらに、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
［１］
設置面の近傍に位置する第１端部と、前記第１端部とは反対側の第２端部と、を有した筐体と、
前記設置面に設置されるとともに前記筐体を起立した状態で支持した支持部と、
前記筐体の内面に沿うように前記筐体内に収められた表示パネルと、
前記筐体内部に設けられるとともに、一方の面に前記表示パネルが取り付けられるとともに、前記表示パネルとの間の隙間が前記第１端部に近づくにつれて大きくなるように、前記表示パネルに対して斜めに設置されたフレームと、
前記フレームの前記一方の面とは反対側の他方の面に取り付けられるとともに、前記フレームと略平行に設けられたプリント回路板と、
前記第１端部と前記第２端部とを結ぶ方向における前記プリント回路板の略中間部よりも前記第１端部側に設けられる外部接続用のコネクタと、
前記筐体の内部で前記表示パネルおよび前記フレームよりも前記第１端部側に出力部を有したスピーカと、
を備えるテレビ。
［２］
前記スピーカは、前記表示パネルおよび前記フレームの前記第１端部側の端よりも前記第２端部側に突出した部分を有し、該部分は、前記筐体の厚み方向に関して前記表示パネルおよび前記フレームと重なる［１］に記載のテレビ。
［３］
前記筐体は、前記スピーカに面するとともに前記表示パネルに対して斜めになった斜面部を有し、該斜面部には前記スピーカからの音を前記筐体外に放出可能な孔が使用状態で前記設置面に沿う方向に設けられた［２］に記載のテレビ。
［４］
前記フレームに設けられるとともに、前記第１端部と前記第２端部とを結ぶ方向における前記フレームの略中間部よりも前記第２端部側で、前記フレームの周囲の部分よりも前記表示パネル側に向かって窪んだ第１窪み部と、
前記第１窪み部内で前記他方の面に取り付けられるとともに、前記筐体内の空気を前記筐体外に排出するファンユニットと、
を備える［３］に記載のテレビ。
［５］
前記第１窪み部は、
底部と、
前記底部と前記周囲の部分とに連続するとともに通気用の開口部が設けられた連続部と、
を有する［４］に記載のテレビ。
［６］
前記筐体は、
前記フレームの前記一方の面側を覆った第１ケースと、
前記ファンユニットから送られた空気を外部に排出する排気孔が設けられるとともに前記フレームの前記他方の面側を覆った第２ケースと、
を有し、
前記フレームは、前記ファンユニットの排気部の近傍に設けられるガイド部を有し、該ガイド部は前記排気孔側に曲がった［５］に記載のテレビ。
［７］
前記第１端部と前記第２端部とを結ぶ方向における前記プリント回路板の略中間部よりも前記第２端部側に設けられた発熱部品と、
前記発熱部品に接続される一方の端部と、前記ファンユニットと前記排気孔との間に位置した他方の端部と、を有するヒートパイプと、
を備える［６］に記載のテレビ。
［８］
前記第１端部と前記第２端部とを結ぶ方向における前記フレームの略中間部よりも前記第２端部側で、前記他方の面に取り付けられた光ディスクドライブと、
前記フレームに設けられるとともに、前記第１端部と前記第２端部とを結ぶ方向における前記フレームの略中間部よりも前記第１端部側で、前記フレームの他の部分よりも前記表示パネル側に向かって窪んだ第２窪み部と、
前記第２窪み部内で前記他方の面に取り付けられたハードディスクドライブと、
を備える［７］に記載のテレビ。
［９］
前記プリント回路板と略平行で前記フレームとの間に前記プリント回路板を挟むように前記フレームに取り付けられた補強板を備える［８］に記載のテレビ。
［１０］
筐体と、
前記設置面に設置されるとともに前記筐体を起立した状態で支持した支持部と、
前記筐体内に収められた表示パネルと、
前記筐体内部に設けられるとともに、一方の面に前記表示パネルが取り付けられるとともに、前記表示パネルとの間の隙間が前記設置面に近づくにつれて大きくなるように、前記表示パネルに対して斜めに設置されたフレームと、
前記フレームの前記一方の面とは反対側の他方の面に取り付けられるとともに、前記フレームに沿って設けられたプリント回路板と、
前記設置面と交差する方向における前記プリント回路板の略中間部よりも前記設置面側に設けられるコネクタと、
を備える電子機器。
【符号の説明】
【００４６】
１１…テレビ、１４…補強板、２１…筐体、２１Ａ…第１端部、２１Ｂ…第２端部、２２…設置面、２３…支持部、２６…孔、３１…表示パネル、３２…フレーム、３２Ａ…一方の面、３２Ｂ…他方の面、３３…プリント回路板、３４…スピーカ、３４Ａ…出力部、３４Ｂ…部分、３６…第１ヒートパイプ、３７…第２ヒートパイプ、４１…ハードディスクドライブ、４２…光ディスクドライブ、５２…第１窪み部、５２Ａ…第１底部、５２Ｂ…第１連続部、５５…ガイド部、５７…周囲の部分、５８…開口部、６１…第１発熱部品、６２…第２発熱部品、６６…コネクタ、６７…シールドケース、６８…端子、Ｔ…厚み方向、Ａ…結ぶ方向、Ｗ…幅方向
【図１】
0005362069.tif 000002
【図２】
0005362069.tif 000003
【図３】
0005362069.tif 000004
【図４】
0005362069.tif 000005
【図５】
0005362069.tif 000006
【図６】
0005362069.tif 000007
【図７】
0005362069.tif 000008
【図８】
0005362069.tif 000009
【図９】
0005362069.tif 000010